(57)【要約】【課題】折り返し式の撮像装置の筐体の厚さを薄くして、かつ、レンズの鏡筒長が長い場合であっても、表示部の面積を十分に確保する。【解決手段】デジタルカメラ１の第２筐体３に設けた凹部１７の底面をモニタ表示部１４のパネル表面１４ａとし、かつ第１筐体２のレンズ鏡筒１１が設けられた面である第２面２ｂと、第２筐体３のモニタ表示部１４が設けられた面である第２面３ｂを向かい合わせて折り返した場合に、レンズ鏡筒１１の突出部分１１ａが凹部１７に収められる構造とした。また、第１筐体２内に内蔵される回路基板４３は、その平板方向が第１筐体２の平板方向と平行となり、かつ、レンズ鏡筒１１を避けて配置し、第２筐体３に内蔵される回路基板４４は、その平板方向が第２筐体３の平板方向と平行となり、かつ、モニタ表示部１４を避けて配置した。【選択図】      図１
2005244587.tif 000002
【特許請求の範囲】
【請求項１】
撮像レンズを設けた第１の薄板状筐体と、
液晶表示部を設けた第２の薄板状筐体と、
前記第１の薄板状筐体を回動可能に支持する第１の回動軸、前記第２の薄板状筐体を回動可能に支持する第２の回動軸を設けたヒンジ部と
を具備し、
前記第１の薄板状筐体の撮像レンズは、前記第１の薄板状筐体の一面から突出しており、
前記第２の薄板状筐体の一面に、前記撮像レンズの突出長以上の深さを有し、かつ底面を前記液晶表示部の表面とした凹部を形成し、
前記第１の回動軸と前記第２の回動軸を介在して前記第１の薄板状筐体と第２の薄板状筐体を回動させ、前記第１の薄板状筐体の撮像レンズを設けた面と前記第２の薄板状筐体の液晶表示部を設けた面とを対接させた場合に、前記撮像レンズの突出部分が前記凹部に収められる構造を有することを特徴とする撮像装置。
【請求項２】
前記第２の薄板状筐体は、回路基板を内蔵しており、
前記液晶表示部と前記回路基板を、前記第２の薄板状筐体の内部において、その平板方向に沿って並べて配置した構造を有することを特徴とする請求項１に記載の撮像装置。
【発明の詳細な説明】
【技術分野】
【０００１】
本発明は、例えばデジタルスチルカメラなどの撮像装置に関する。
【背景技術】
【０００２】
近時、銀塩フィルムを用いたカメラに代わって、固体撮像素子による撮影で被写体の画像データを得ることが可能なデジタルスチルカメラ（以下、デジタルカメラと称する）が広く普及している。
【０００３】
このデジタルカメラには、撮影レンズを設けた第１ボディと、表示部である液晶モニタを設けた第２ボディとをヒンジを設けた第３ボディにより接続した折り返し式のデジタルカメラが存在する（例えば特許文献１参照）。
【特許文献１】特開２０００−９８４７０号公報
【発明の開示】
【発明が解決しようとする課題】
【０００４】
前記特許文献１に開示されたような折り返し式のデジタルカメラには、撮影レンズの一部を第１ボディから突出させたものがある。このようなデジタルカメラでは、第２ボディにおいて、表示部である液晶モニタを設けた面にレンズよけとなる凹部を形成し、第１ボディの撮影レンズが突出して設けられた面と、第２ボディの液晶モニタが設けられた面とを対接させた状態で、撮影レンズが凹部に収められる構造となっている。
【０００５】
しかしながら、第２ボディでは凹部を避けて液晶モニタを設けている。このため、液晶モニタ表面の面積が狭くなってしまう。
【０００６】
そこで、本発明の目的は、筐体の厚さを薄くして、かつ、レンズの鏡筒長が長い場合であっても、表示部の面積を十分に確保することが可能になる折り返し式の撮像装置を提供することにある。
【課題を解決するための手段】
【０００７】
請求項１記載の発明は、撮像レンズを設けた第１の薄板状筐体と、液晶表示部を設けた第２の薄板状筐体と、前記第１の薄板状筐体を回動可能に支持する第１の回動軸、前記第２の薄板状筐体を回動可能に支持する第２の回動軸を設けたヒンジ部とを具備し、前記第１の薄板状筐体の撮像レンズは、前記第１の薄板状筐体の一面から突出しており、前記第２の薄板状筐体の一面に、前記撮像レンズの突出長以上の深さを有し、かつ底面を前記液晶表示部の表面とした凹部を形成し、前記第１の回動軸と前記第２の回動軸を介在して前記第１の薄板状筐体と第２の薄板状筐体を回動させ、前記第１の薄板状筐体の撮像レンズを設けた面と前記第２の薄板状筐体の液晶表示部を設けた面とを対接させた場合に、前記撮像レンズの突出部分が前記凹部に収められる構造を有することを特徴とする。
【０００８】
請求項２記載の発明は、前記請求項１記載の発明において、前記第２の薄板状筐体は、回路基板を内蔵しており、前記液晶表示部と前記回路基板を、前記第２の薄板状筐体の内部において、その平板方向に沿って並べて配置した構造を有することを特徴とする。
【発明の効果】
【０００９】
請求項１記載の発明によれば、第１の薄板状筐体の撮像レンズを設けた面と第２の薄板状筐体の液晶表示部を設けた面とを対接させた状態にある場合に、第１の薄板状筐体から撮像レンズが突出していても、この撮像レンズの突出部分が凹部に収められる構造としたので、撮影画質を向上させた上で、液晶表示部の面積を広くすることができる。
【００１０】
請求項２記載の発明によれば、前記請求項１記載の発明の効果に加えて、第２の薄板状筐体内部の回路基板を、該第２の薄板状筐体の平板方向に沿って液晶表示部と並べて配置したので、第２の薄板状筐体の厚さを変えることなく液晶表示部において凹部を形成することができる。それに伴って撮影レンズの突出長も延長することができるので、撮影画質を向上させることができる。
【発明を実施するための最良の形態】
【００１１】
以下本発明を折り返し式のデジタルカメラに適用した場合の実施の一形態について図面を参照して説明する。  
図１は、本発明の実施の一形態に係わるデジタルカメラ１の外観の平面展開図である。  
図２は、図１に示したデジタルカメラ１の第１筐体２および第２筐体３およびヒンジ部４を図１のＡ−Ａ線に沿って切断した場合の断面図である。  
図３は、図２に示したデジタルカメラ１の第１筐体２および第２筐体３を閉じた状態にある場合の断面図である。
【００１２】
図４は、図１に示したデジタルカメラ１の外観の斜視図である。同図（ａ），（ｃ）は、デジタルカメラ１を閉じた状態にある場合の外観であり、同図（ｂ）は、デジタルカメラ１が開いた状態にある場合の外観である。  
図１に示すように、デジタルカメラ１は、第１筐体２、第２筐体３およびヒンジ部４により構成される。第１筐体２および第２筐体３は、例えばステンレスなどの金属外装でなる薄板状の筐体である。
【００１３】
ヒンジ部４は、第１筐体２を図４（ａ）に示す状態から第１の回動軸５を中心に矢印Ｂの示す方向に１８０°の角度範囲で回動可能に支持するとともに、第２筐体３を図４（ａ）に示す状態から第２の回動軸６を中心に矢印Ｃの示す方向に１８０°の角度範囲で回動可能に支持する。また、ヒンジ部４は、第１筐体２を図４（ｃ）に示す状態から第１の回動軸５を中心に矢印Ｂ´の示す方向に１８０°の角度範囲で回動可能に支持するとともに、第２筐体３を図４（ｃ）に示す状態から第２の回動軸６を中心に矢印Ｃ´の示す方向に１８０°の角度範囲で回動可能に支持する。なお、第１筐体２および第２筐体３の回動する角度範囲は前記１８０°以上であれば特に限定されるものではない。
【００１４】
通常の携行時等、画像の撮影、再生を行なわない状態では、ヒンジ部４を介在して第１筐体２と第２筐体３とを回動させることにより、図３または図４（ａ）に示すように、第１筐体２の第２面２ｂと第２筐体３の第２面３ｂとを互いに間隔を空けずに対接させる。
【００１５】
また、画像の撮影、再生を行なう場合には、第１筐体２と第２筐体３とを回動させることにより、図４（ｂ）の状態を経て、図４（ｃ）に示すように、第１筐体２の第１面２ａと第２筐体３の第１面３ａとを互いに間隔を空けずに対接させる。
【００１６】
ヒンジ部４には、シャッタキー１９が配設される。このシャッタキー１９は、デジタルカメラ１が図４（ｃ）に示す撮影、再生の状態にある場合に、デジタルカメラ１の表面側に露出するように配設される。
【００１７】
図１、図４（ｂ），（ｃ）に示すように、第１筐体２の第２面２ｂには、レンズ鏡筒１１、ストロボ発光部１２、セルフタイマランプ１３およびマイクロホン４０が配設されている。特に、レンズ鏡筒１１は第１筐体２の第２面２ｂから、この第２面２ｂの平板方向と垂直な方向に突出するように配設されている。
【００１８】
第２筐体３の第２面３ｂには、モニタ表示部（液晶表示部）１４、操作ダイアル１５、モードキー１６およびスピーカ４１が配設される。また、回転操作を行なう操作ダイアル１５の中心部には、押圧操作する決定キー１８が配設される。
【００１９】
マイクロホン４０は、動画像撮影時及び音声メモ記録時にレンズ鏡筒１１の撮影範囲と一致する前方の音声を集音する。スピーカ４１は、動画像または音声メモの再生時に拡声放音する。
【００２０】
また、第２筐体３の第２面３ｂには、凹部１７が形成される。この凹部１７の底面は、モニタ表示部１４のパネル表面１４ａ（図２，図３参照）となっている。この凹部１７の深さ、つまり第２筐体３の第２面３ｂの平板方向と垂直な方向の長さＬ１（図２参照）は、レンズ鏡筒１１の突出長、つまりレンズ鏡筒１１の突出部分１１ａの、第１筐体２の第２面２ｂの平板方向と垂直な方向の長さＬ２（図２参照）以上の長さとなっている。
【００２１】
また、第２筐体３の第２面２ｂにおいて、レンズ鏡筒１１は、デジタルカメラ１が図４（ａ）に示す状態にある場合に、レンズ鏡筒１１の突出部分１１ａが凹部１７に収められる（図３参照）ように配設される。
【００２２】
図５は、デジタルカメラ１の第１筐体２、第２筐体３およびヒンジ部４を図４の矢印Ｄの方向からみた図である。なお、図５では、説明のためにヒンジ部４と第１筐体２および第２筐体３に間隔を設けて図示しているが、実際にはヒンジ部４と第１筐体２および第２筐体３は当接される。
【００２３】
図６は、デジタルカメラ１の第１筐体２および第２筐体３およびヒンジ部４を図５のＥ−Ｅ線に沿って切断した場合の断面図である。  
図５に示すように、ヒンジ部４の側面４ａの２箇所に半球状の凹部７ａおよび凹部７ｂを穿設する。凹部７ｂ内には、検出スイッチ８が配設される。この検出スイッチ８の機能については後述する。
【００２４】
また、図５に示すように、第１筐体２の側面２ｃおよび第２筐体３の側面３ｃに対して穴９を穿設する。穴９内には、ばね付き球１０が配設される。このばね付き球１０は、ばねの付勢により、デジタルカメラ１が図４（ａ）に示す状態にある場合にはヒンジ部４の側面４ａに形成された凹部７ａ内に挿入される。また、ばね付き球１０は、デジタルカメラ１が図４（ｃ）に示す状態にある場合には凹部７ｂ内に挿入される。ばね付き球１０が凹部７ｂに挿入された場合にはこの凹部７ｂ内に設けられた検出スイッチ８が押下される。
【００２５】
ばね付き球１０が凹部７ａまたは凹部７ｂに挿入されると、第１筐体２および第２筐体３は、ばね付き球１０の付勢に伴なうクリック感によりヒンジ部４に仮固定される。図４（ａ）に示す状態で仮固定された第１筐体２は、矢印Ｂが示す方向に外力を加えることで仮固定の状態を解除される。図４（ａ）に示す状態で仮固定された第２筐体３は、矢印Ｃが示す方向に外力を加えることで仮固定の状態を解除される。また、図４（ｃ）に示す状態で仮固定された第１筐体２は、矢印Ｂ´が示す方向に外力を加えることで仮固定の状態を解除される。図４（ｃ）に示す状態で仮固定された第２筐体３は、矢印Ｃ´が示す方向に外力を加えることで仮固定の状態を解除される。つまり、デジタルカメラ１が図４（ａ）に示す状態および図４（ｃ）に示す状態にある場合には、外力を加えない限り、ヒンジ部４を介在して第１筐体２および第２筐体３が仮固定される。
【００２６】
撮影時には、図４（ｃ）に示すように、第１筐体２の第１面２ａと第２筐体３の第１面３ａとを対接させた状態にする。以下、この状態を撮影状態と呼ぶ。  
また、前記撮影時以外、つまり通常の携行時等、撮影、再生を行なわない場合では、図４（ａ）に示すように、第１筐体２の第２面２ｂと第２筐体３の第２面３ｂとを対接させた状態にする。以下、この状態を携行状態と呼ぶ。
【００２７】
既に説明した検出スイッチ８は、前記撮影状態となったか否かを検出するために設けられたもので、図４（ａ）の携行状態から図４（ｃ）の撮影状態となった場合にオンとなる。
【００２８】
デジタルカメラ１が撮影状態に遷移して検出スイッチ８がオンとなると、デジタルカメラ１の電源を投入する。これにより、シャッタキー１９、操作ダイアル１５およびモードキー１６が操作可能になる。
【００２９】
一方、デジタルカメラ１が、図４（ｃ）に示す撮影状態にない場合には、検出スイッチ８がオフとなることで、自動的にこのデジタルカメラ１の電源が切断される。なお、本実施の形態では、第１筐体２および第２筐体３とを回動させて検出スイッチ８のオン／オフが切り替わるのにしたがって、デジタルカメラ１の電源を投入および切断する形態としたが、これに限らず第１筐体２および第２筐体３とを回動させて該電源を投入および切断する形態であれば、検出スイッチ８の構造等を限定するものではない。
【００３０】
また、図４（ｂ）に示す状態でも電源をオンするようにしてもよい。こうすることで、後述する撮影モードの時は自分を撮影することができ、再生モードの時は画像を見ることができる。さらに、操作ダイアル１５などの操作キーに強制的に電源をオン／オフできるような機能を設けてもよいし、図４（ｂ）、図４（ｃ）に示す状態に限らず例えば図４（ａ）の第１筐体２が矢印Ｂの示す方向に９０°回動した状態でも電源をオンするようにしてもよい。
【００３１】
前述のように第２筐体３の第２面３ｂに設けられた凹部１７は、デジタルカメラ１の携行状態において第１筐体２の第２面２ｂに設けられたレンズ鏡筒１１の突出部分１１ａを収める。
【００３２】
デジタルカメラ１は、基本モードとして撮影モードと再生モードを切り替えて使用する。撮影モードでは、被写体を撮影してデジタルデータとして記録し、一方の再生モードでは、撮影モードで記録した被写体のデジタルデータを再生する。撮影モードおよび再生モードは、第２筐体３のモードキー１６を押下して切り替える。
【００３３】
モニタ表示部１４は、撮影モードでは、その時点で撮像している内容をモニタリングするためのファインダとして機能する一方で、再生モードでは、記録されている画像データを再生表示する。操作ダイアル１５は、回転操作により撮影モードおよび再生モードにおける各種項目の選択を行なう。この操作ダイアル１５の中心に位置する決定キー１８は、操作ダイアル１５により選択した内容を押圧操作により決定する。
【００３４】
撮影モードにおいて、シャッタキー１９は、２段階のストロークで動作し、一般的に「半押し」と表現されている第１段階の操作状態で、ＡＦ（自動焦点）、ＡＥ（自動露出）処理を始めとする撮影の準備を行ない、一般的に「全押し」と表現されている、より強く押圧操作した第２段階の操作状態で撮影を実行するものとする。また、ＡＦ（自動焦点）機能を持たない“パンフォーカス（固定焦点）カメラ”の場合は一般的に１段階の操作であり、「全押し」だけである。
【００３５】
次に図７により、デジタルカメラ１に内蔵される電子回路の構成について説明する。  
このデジタルカメラ１において、第１筐体２には、既に説明したストロボ発光部１２の他に、モータ（Ｍ）２１、レンズ光学部２２、ＣＣＤ２３、タイミング発生器（ＴＧ）２４、垂直ドライバ２５、サンプルホールド回路（Ｓ／Ｈ）２６、Ａ／Ｄ変換器（Ａ／Ｄ）２７、カラープロセス回路２８およびストロボ制御部３９が設けられる。
【００３６】
また、第２筐体３には、既に説明した、モニタ表示部１４、操作ダイアル１５およびモードキー１６の他に、制御部２９、電源制御部３０、ＤＭＡ（Ｄｉｒｅｃｔ  Ｍｅｍｏｒｙ  Ａｃｃｅｓｓ）コントローラ３１、ＤＲＡＭインタフェース（Ｉ／Ｆ）３２、ＤＲＡＭ３３、ＶＲＡＭ３４、ＶＲＡＭコントローラ３５、デジタルビデオエンコーダ３６、フラッシュメモリ３７、およびＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路３８が設けられる。フラッシュメモリ３７はデジタルカメラ１に内蔵のメモリ、または着脱可能なメモリカードであってもよいし、両方を備えていてもよい。
【００３７】
電源制御部３０は、検出スイッチ８がオン状態である場合にこれを検知して制御部２９その他の全回路に電源を供給する。
【００３８】
デジタルカメラ１の撮影モードでのモニタリング状態においては、モータ２１の駆動により絞り位置が移動されるレンズ光学部２２の撮影光軸後方に配置された固体撮像素子であるＣＣＤ２３が、タイミング発生器２４、垂直ドライバ２５により走査駆動され、一定周期毎に結像した光像に対応する光電変換出力を１フレーム分出力する。
【００３９】
この光電変換出力は、アナログ値の信号の状態でＲＧＢの各原色成分毎に適宣ゲイン調整された後に、サンプルホールド回路２６でサンプルホールドされ、Ａ／Ｄ変換器２７で、デジタルデータに変換されてカラープロセス回路２８へ出力される。
【００４０】
カラープロセス回路２８は、Ａ／Ｄ変換器２７から送られてくる画像のデジタルデータに対する画像補間処理およびγ補正処理を含むカラープロセス処理を行ない、デジタル値の輝度信号Ｙおよび色差信号Ｃｂ，Ｃｒを生成してＤＭＡコントローラ３１に出力する。
【００４１】
ＤＭＡコントローラ３１は、カラープロセス回路２８の出力する輝度信号Ｙおよび色差信号Ｃｂ，Ｃｒを、同じくカラープロセス回路２８からの複合同期信号、メモリ書込みイネーブル信号、及びクロック信号を用いて一度ＤＭＡコントローラ３１内部のバッファに書込み、ＤＲＡＭインタフェース３２を介してバッファメモリとして使用されるＤＲＡＭ３３にＤＭＡ転送出力する。
【００４２】
制御部２９は、前記輝度および色差信号のＤＲＡＭ３３へのＤＭＡ転送出力後に、この輝度及び色差信号をＤＲＡＭインタフェース３２を介してＤＲＡＭ３３より読出し、ＶＲＡＭコントローラ３５を介してＶＲＡＭ３４に書込む。
【００４３】
デジタルビデオエンコーダ３６は、前記輝度信号及び色差信号をＶＲＡＭコントローラ３５を介してＶＲＡＭ３４より定期的に読出し、これらのデータを元にビデオ信号を発生してモニタ表示部１４に出力する。
【００４４】
モニタ表示部１４は、例えばバックライト付きのカラー液晶表示パネルとその駆動回路とで構成され、撮影モード時には電子ファインダとして機能するもので、デジタルビデオエンコーダ３６からのビデオ信号に基づいた表示を行なうことで、その時点でＶＲＡＭコントローラ３５から取込んでいる画像情報に基づく画像を表示する。
【００４５】
このようにモニタ表示部１４にその時点での画像をモニタ画像としてリアルタイムに表示させている状態で、静止画撮影を行ないたいタイミングでヒンジ部４のシャッタキー１９を押下すると、トリガ信号を発生する。
【００４６】
制御部２９は、このトリガ信号に応じてその時点でＣＣＤ２３から取込んでいる１フレーム分の輝度及び色差信号のＤＲＡＭ３３へのＤＭＡ転送の処理後、直ちにＣＣＤ２３からＤＲＡＭ３３への経路を停止し、記録保存の状態に遷移する。
【００４７】
この記録保存の状態では、制御部２９がＤＲＡＭ３３に書込まれている１フレーム分の輝度及び色差信号を、ＤＲＡＭインタフェース３２を介してＹ，Ｃｂ，Ｃｒの各コンポーネント毎に縦８画素×横８画素の基本ブロックと呼称される単位で読出してＪＰＥＧ回路３８に書込み、このＪＰＥＧ回路３８でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４８】
そして、得た符号データを１フレームのデータファイルとして該ＪＰＥＧ回路３８から読出し、このデジタルカメラ１の記録媒体として装着された、不揮発性メモリであるフラッシュメモリ３７に書込む。そして、１フレーム分の輝度及び色差信号の圧縮処理及びフラッシュメモリ３７への全圧縮データの書込み終了に伴って、制御部２９はＣＣＤ２３からＤＲＡＭ３３への経路を再び起動する。
【００４９】
なお、ストロボ制御部３９は、撮影時に例えばキセノン管でなるストロボ発光部１２を閃光駆動させる。
【００５０】
また、制御部２９には音声処理部４２が接続される。音声処理部４２は、ＰＣＭ音源等の音源回路を備え、音声の録音時にはマイクロホン（ＭＩＣ）４０より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成してフラッシュメモリ３７へ送出する一方、音声の再生時にはフラッシュメモリ３７から送られてきた音声データファイルの圧縮を解いてアナログ化し、スピーカ（ＳＰ）４１を駆動して、拡声放音させる。
【００５１】
また、第１筐体２には、その内部に回路基板４３が配置される（図１参照）。回路基板４３には、モータ２１、タイミング発生器２４、垂直ドライバ２５、サンプルホールド回路２６、Ａ／Ｄ変換器２７、カラープロセス回路２８、電源制御部３０、ＤＭＡコントローラ３１、ＤＲＡＭインタフェース３２、ＤＲＡＭ３３、フラッシュメモリ３７、ＪＰＥＧ回路３８およびストロボ制御部３９が実装される。また、回路基板４３は、その平板方向が第１筐体２の平板方向と平行となり、かつ、レンズ鏡筒１１を避けて配置される。
【００５２】
また、第２筐体３には、その内部に回路基板４４が配置される（図１参照）。回路基板４４には、制御部２９、ＶＲＡＭ３４、ＶＲＡＭコントローラ３５、デジタルビデオエンコーダ３６および音声処理部４２が実装される。また、回路基板４４は、その平板方向が第２筐体３の平板方向と平行になり、かつ、モニタ表示部１４、操作ダイアル１５、決定キー１８を避けて配置される。
【００５３】
これにより、第２筐体３において、厚さを変更せずとも、モニタ表示部１４が配設された位置に凹部１７を形成することができる。凹部１７の深さＬ１を深くすることにより、その分、レンズ鏡筒１１の突出長Ｌ２も長くすることができる。
【００５４】
また、第１筐体２では、回路基板４３とレンズ鏡筒１１とを重ね合わせて配設するための厚さを確保する必要がなくなる。よって、第１筐体２の厚さを変更せずとも、レンズ鏡筒１１の鏡筒長Ｌ３を延長することができる。なお、回路基板４３，４４は、単一の基板である必要はなく、第１筐体２および第２筐体３内で複数に分離されていてもよい。
【００５５】
以上、詳述した実施の形態において説明したデジタルカメラ１によれば、第２筐体３に設けた凹部１７の底面をモニタ表示部１４のパネル表面１４ａとし、かつ第１筐体２のレンズ鏡筒１１が設けられた面である第２面２ｂと、第２筐体３のモニタ表示部１４が設けられた面である第２面３ｂを向かい合わせて折り返した場合に、レンズ鏡筒１１の突出部分１１ａが凹部１７に収められる構造としたので、第１筐体２および第２筐体３の厚さを薄く保ったままでレンズ鏡筒１１の突出長Ｌ２（図２参照）を長くしても、モニタ表示部１４の表示面積を広くすることができる。また、回路基板４３を、レンズ鏡筒１１の配設箇所を避けて第１筐体２に内蔵し、回路基板４４を、モニタ表示部１４の配設箇所を避けて第２筐体３に内蔵したので、第２筐体３の厚さを変えることなく凹部１７の深さＬ１を深くでき、これにともなって、レンズ鏡筒１１の突出長Ｌ２、鏡筒長Ｌ３を延長させることができるので、撮影画質をさらに向上させることができる。
【００５６】
なお、前記実施の形態は、本発明をデジタルカメラに適用した場合について説明したものであるが、本発明はこれに限らず、２つの筐体をヒンジ部で接続し、折り返して使用するような構造のものであれば、ビデオムービーカメラ、カメラ付き携帯電話等にも適用可能であることは勿論である。
【００５７】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５８】
【図１】本発明の実施の一形態に係わるデジタルカメラの外観の平面展開図。
【図２】図１に示したデジタルカメラの第１筐体および第２筐体およびヒンジ部を図１のＡ−Ａ線に沿って切断した場合の断面図。
【図３】図２に示したデジタルカメラの第１筐体および第２筐体を閉じた場合の断面図。
【図４】図１に示したデジタルカメラの外観の斜視図。
【図５】図４に示したデジタルカメラの第１筐体、第２筐体およびヒンジ部を図４の矢印Ｄの方向からみた図。
【図６】図４に示したデジタルカメラの第１筐体および第２筐体およびヒンジ部を図５のＥ−Ｅ線で切断した場合の断面図。
【図７】図１に示したデジタルカメラの回路構成を示すブロック図。
【符号の説明】
【００５９】
１…デジタルカメラ、２…第１筐体、２ａ…第１筐体第１面、２ｂ…第１筐体第２面、２ｃ…第１筐体側面、３…第２筐体、３ａ…第２筐体第１面、３ｂ…第２筐体第２面、３ｃ…第２筐体側面、４…ヒンジ部、４ａ…ヒンジ部側面、５…第１の回動軸、６…第２の回動軸、７ａ，７ｂ…ヒンジ部凹部、８…検出スイッチ、９…穴、１０…ばね付き球、１１…レンズ鏡筒、１２…ストロボ発光部、１３…セルフタイマランプ、１４…モニタ表示部、１５…操作ダイアル、１６…モードキー、１７…第２筐体凹部、１８…決定キー、１９…シャッタキー、２１…モータ、２２…レンズ光学部、２３…ＣＣＤ、２４…タイミング発生器（ＴＧ）、２５…垂直ドライバ、２６…サンプルホールド回路（Ｓ／Ｈ）、２７…Ａ／Ｄ変換器、２８…カラープロセス回路、２９…制御部、３０…電源制御部、３１…ＤＭＡコントローラ、３２…ＤＲＡＭインタフェース、３３…ＤＲＡＭ、３４…ＶＲＡＭ、３５…ＶＲＡＭコントローラ、３６…デジタルビデオエンコーダ、３７…フラッシュメモリ、３８…ＪＰＥＧ回路、３９…ストロボ制御部、４０…マイクロホン、４１…スピーカ、４２…音声処理部、４３，４４…回路基板。
【図１】
2005244587.tif 000003
【図２】
2005244587.tif 000004
【図３】
2005244587.tif 000005
【図４】
2005244587.tif 000006
【図５】
2005244587.tif 000007
【図６】
2005244587.tif 000008
【図７】
2005244587.tif 000009